(57)【要約】【課題】駆動素子の電力損失を低減し、発光効率を高めることを可能とするプラズマディスプレイパネルの駆動回路を提供する。【解決手段】Ｙ電極３１ＹとＸ電極３１Ｘからなる表示電極に対する維持放電パルスの印加によって、点灯すべきセルの輝度に応じた回数の維持放電を生じさせることにより画像を表示するプラズマディスプレイパネル３０のＹ電極駆動回路１０Ｙであって、表示電極に対して前記維持放電パルスを印加するＹ奇数電極駆動回路１１Ｙと、Ｙ電極駆動回路１０Ｙからの出力に対して補正電圧パルスを印加するクランプ回路１３Ｙを有し、サステイン期間中における前記維持放電パルスの印加の際に、クランプ回路１３ＹによりＹ電極駆動回路１０Ｙの出力に対して前記補正電圧パルスを印加する。【選択図】図１
2009186700.tif 000002
【特許請求の範囲】
【請求項１】
Ｙ電極とＸ電極からなる表示電極に対する維持放電パルスの印加によって、点灯すべきセルの輝度に応じた回数の維持放電を生じさせることにより画像を表示するプラズマディスプレイパネルの駆動回路であって、
前記Ｙ電極を駆動する駆動回路と前記Ｘ電極を駆動する駆動回路の少なくともいずれか一方に、前記表示電極に対して前記維持放電パルスを印加するサステイン駆動回路を有し、
前記Ｙ電極を駆動する駆動回路と前記Ｘ電極を駆動する駆動回路の少なくともいずれか一方に、該駆動回路からの出力に対して補正電圧パルスを印加するクランプ回路を有し、
サステイン期間中における前記サステイン駆動回路による前記表示電極に対する前記維持放電パルスの印加の際に、前記クランプ回路により該駆動回路の出力に対して前記補正電圧パルスを印加することを特徴とするプラズマディスプレイパネルの駆動回路。
【請求項２】
請求項１に記載のプラズマディスプレイパネルの駆動回路において、
サステイン期間中における前記サステイン駆動回路による前記表示電極に対する前記維持放電パルスの印加の際に、前記Ｙ電極と前記Ｘ電極との間の電位差が維持放電電圧より大きくなるように、前記クランプ回路により該駆動回路の出力に対して前記補正電圧パルスを印加することを特徴とするプラズマディスプレイパネルの駆動回路。
【請求項３】
請求項１に記載のプラズマディスプレイパネルの駆動回路において、
前記クランプ回路は、前記補正電圧パルスを、前記維持放電パルスに対して重畳的に付加するものであることを特徴とするプラズマディスプレイパネルの駆動回路。
【請求項４】
請求項１に記載のプラズマディスプレイパネルの駆動回路において、
前記クランプ回路は、前記補正電圧パルスを、前記維持放電パルスが印加される前記表示電極とは反対の前記表示電極に対して該維持放電パルスの印加方向とは逆方向に付加するものであることを特徴とするプラズマディスプレイパネルの駆動回路。
【請求項５】
請求項１に記載のプラズマディスプレイパネルの駆動回路において、
前記サステイン駆動回路によって前記表示電極に対して前記維持放電パルスが印加された後に、前記クランプ回路によって前記Ｙ電極と前記Ｘ電極との間の電位差が維持放電電圧より大きくなるように前記補正電圧パルスを印加し、その後、維持放電電流が流れる前に前記補正電圧パルスの印加を遮断することを特徴とするプラズマディスプレイパネルの駆動回路。
【請求項６】
請求項１に記載のプラズマディスプレイパネルの駆動回路において、
前記クランプ回路は、サステイン期間中における前記維持放電パルスの印加の周期に合わせて、前記補正電圧パルスを印加するタイミング、印加する時間幅、および印加する電圧が段階的に可変であることを特徴とするプラズマディスプレイパネルの駆動回路。
【請求項７】
Ｙ電極とＸ電極からなる表示電極に対する維持放電パルスの印加によって、点灯すべきセルの輝度に応じた回数の維持放電を生じさせることにより画像を表示するプラズマディスプレイパネルの駆動方法であって、
サステイン期間中における前記表示電極に対する前記維持放電パルスの印加の際に、前記表示電極に補正電圧パルスを印加することを特徴とするプラズマディスプレイパネルの駆動方法。
【請求項８】
請求項７に記載のプラズマディスプレイパネルの駆動方法において、
サステイン期間中における前記表示電極に対する前記維持放電パルスの印加の際に、前記Ｙ電極と前記Ｘ電極との間の電位差が維持放電電圧より大きくなるように、前記表示電極に前記補正電圧パルスを印加することを特徴とするプラズマディスプレイパネルの駆動方法。
【請求項９】
請求項７に記載のプラズマディスプレイパネルの駆動方法において、
前記補正電圧パルスを、前記維持放電パルスに対して重畳的に付加することを特徴とするプラズマディスプレイパネルの駆動方法。
【請求項１０】
請求項７に記載のプラズマディスプレイパネルの駆動方法において、
前記補正電圧パルスを、前記維持放電パルスが印加される前記表示電極とは反対の前記表示電極に対して該維持放電パルスの印加方向とは逆方向に付加することを特徴とするプラズマディスプレイパネルの駆動方法。
【請求項１１】
請求項７に記載のプラズマディスプレイパネルの駆動方法において、
前記表示電極に対して前記維持放電パルスが印加された後に、前記Ｙ電極と前記Ｘ電極との間の電位差が維持放電電圧より大きくなるように前記補正電圧パルスを印加し、その後、維持放電電流が流れる前に前記補正電圧パルスの印加を遮断することを特徴とするプラズマディスプレイパネルの駆動方法。
【請求項１２】
請求項７に記載のプラズマディスプレイパネルの駆動方法において、
サステイン期間中における前記維持放電パルスの印加の周期に合わせて、前記補正電圧パルスを印加するタイミング、印加する時間幅、および印加する電圧を段階的に変更することを特徴とするプラズマディスプレイパネルの駆動方法。
【発明の詳細な説明】
【技術分野】
【０００１】
本発明は、ＰＤＰ（Plasma Display Panel：プラズマディスプレイパネル）の駆動回路および駆動方法に適用して有効な技術に関するものである。
【背景技術】
【０００２】
近年、ＣＲＴ（Cathode Ray Tube）に替わる表示パネルとして実用化されているプラズマディスプレイ装置は、自己発光型のため、視認性が良く、薄型で、大画面表示および高速表示が可能である。このプラズマディスプレイ装置の表示方式には、１つのフィールドで全ての表示ラインを表示するノンインターレース（プログレッシブ）方式と、奇数番目の表示ラインを表示する奇数フィールドと偶数番目の表示ラインを表示する偶数フィールドとを交互に表示するインターレース方式とがある。
【０００３】
また、インターレース方式の一例としては、例えば特開２００４−３０９９８３号公報（特許文献１）、特許第２８０１８９３号公報（特許文献２）および特開平９−１６０５２５号公報（特許文献３）で開示されているＡＬＩＳ（Alternate Lighting of Surface）方式がある。従来のプラズマディスプレイ装置では、対を成す表示電極（Ｘ電極およびＹ電極）で１表示ラインが形成されるのに対して、このＡＬＩＳ方式では、Ｘ電極とＹ電極の隣接する全ての電極間で表示ラインが形成される。
【０００４】
すなわち、Ｘ電極とＹ電極には、それぞれ別々に駆動用の電極駆動回路が接続され、奇数番目の電極には、例えば第１の電極駆動回路により維持放電パルスが印加され、偶数番目の電極には、例えば第２の電極駆動回路により維持放電パルスが印加される。奇数番目の電極に印加される維持放電パルスと、偶数番目の電極に印加される維持放電パルスは互いに逆相とされる。
【０００５】
かかるＡＬＩＳ方式によれば、同数の表示電極で２倍の表示ライン化を実現でき、また、従来と同数の表示ライン数を形成しようとする場合には、１／２の表示電極数で実現することができるとされる。ＡＬＩＳ方式のプラズマディスプレイ装置については、特許文献２に詳細が記載されている。また、特公平７−１０９５４２号公報（特許文献４）には、容量とインダクタンスに基づく共振を利用した電力回収技術について記載されている。
【０００６】
図１５は、従来のプラズマディスプレイ装置における駆動波形および放電電流（発光電流）の概要を示す図である。図１５に示すように、各サブフィールド期間は、画面の帯電分布を一様に初期化するリセット期間と、表示内容に応じたセルを選択するアドレス期間と、明るさに応じた回数で維持放電パルスを印加することによりセルを発光させて画像を表示するサステイン期間とで構成される。
【０００７】
図１６は、従来のプラズマディスプレイ装置における維持放電パルスの例を示す図である。図１６に示すように、プラズマディスプレイパネルの駆動には、Ｘ電極とＹ電極に交互に振幅ＶｓｘまたはＶｓｙの単純矩形波の維持放電パルスＰｓを印加する。すなわち、Ｘ電極とＹ電極とを交互に一時的に電位Ｖｓにバイアスする。これにより、Ｘ電極とＹ電極との間（これをＸＹ電極間という）に交番極性のパルス列が加わる。パネルベース電位（通常はグランドレベル：ＧＮＤ）とパネルバイアス電位との差、すなわち維持放電電圧Ｖｓは、放電駆動マージンの範囲内の値に設定される。
【０００８】
図１７は、プラズマディスプレイ装置における放電駆動マージンの概要を示す図である。放電駆動マージンは、図１７に示すように、セルの点灯を維持するのに必要な最小の印加電圧Ｖｓｍｉｎと、最大の印加電圧Ｖｓｍａｘとの間として定義される。ここで、維持放電電圧ＶｓがＶｓｍａｘより大きくなると、アドレス期間に非選択であったセルでも放電が起き点灯してしまう。また、維持放電電圧ＶｓがＶｓｍｉｎより小さくなると、アドレス期間で選択されたセルで放電が起きず消灯状態になってしまう。このため、維持放電電圧Ｖｓが放電駆動マージンの範囲内に入るよう制御する必要がある。
【特許文献１】特開２００４−３０９９８３号公報
【特許文献２】特許第２８０１８９３号公報
【特許文献３】特開平９−１６０５２５号公報
【特許文献４】特公平７−１０９５４２号公報
【発明の開示】
【発明が解決しようとする課題】
【０００９】
プラズマディスプレイ装置のパネル容量は、電源からみて容量性負荷であるので、維持放電パルスの印加に際して、セルの持つ静電容量を充電する電流が流れる。通常、静電容量の端子間電圧が維持放電電圧Ｖｓに達した時点より遅れて維持放電が起こり、それにともなって放電電流（これを発光電流という）が流れる。従来では、放電電流は、プラズマディスプレイパネルに接続されていた電源回路からセルへ供給されていた。このため、電力供給経路が長く、さらに電流がスイッチングトランジスタを含む多くの回路デバイスを経由することから、電圧降下や電力損失が大きく、これらにより発光効率が低下するという問題があった。
【００１０】
また、近年、プラズマディスプレイ装置の大型化や高精細化が加速し、パネルセル内には、高発光効率を得るために高Ｘｅガスが使われるようになっている。これに伴い駆動電圧の高電圧化が進み、維持放電パルスには大きな維持放電電圧が必要になり、駆動素子の負担増や発熱は言うまでも無く、消費電力の増大やコスト上昇が大きな課題となっている。これら駆動素子の負担軽減および発熱対策の上で、電力消費を低減させる必要がある。
【００１１】
そこで本発明の目的は、駆動素子の電力損失を低減し、発光効率を高めることを可能とするプラズマディスプレイパネルの駆動回路および駆動方法を提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。
【００１４】
本発明の代表的な実施の形態によるプラズマディスプレイパネルの駆動回路は、Ｘ電極の駆動回路とＹ電極の駆動回路の少なくともいずれか一方に、該駆動回路からの出力に対して補正電圧パルスを印加するクランプ回路を有し、サステイン期間中における維持放電パルスの印加の際に、前記クランプ回路により該駆動回路の出力に対して補正電圧パルスを印加することを特徴とするものである。
【発明の効果】
【００１５】
本願において開示される発明のうち、代表的なものによって得られる効果を簡単に説明すれば以下のとおりである。
【００１６】
本発明の代表的な実施の形態によれば、維持放電用の電源経路とセルとの通電を省電力化することができ、従来技術のように常に電源から維持放電電流を供給する場合と比べて電力損失を少なくすることができる。また、本発明の代表的な実施の形態によれば、Ｘ電極とＹ電極との間に、通常の維持放電電圧に加えてさらに補正電圧パルスを印加することで安定した駆動が得られ、また維持放電電圧を下げることができ、発光効率を高めることができる。
【発明を実施するための最良の形態】
【００１７】
以下、本発明の実施の形態を図面に基づいて詳細に説明する。なお、実施の形態を説明するための全図において、同一部には原則として同一の符号を付し、その繰り返しの説明は省略する。
【００１８】
＜概要＞
図２は、本発明の一実施の形態であるプラズマディスプレイ装置における駆動波形および放電電流（発光電流）の概要を示す図である。駆動電圧波形は、前述の図１５で説明したのと同様に、各サブフィールドにおいて、セルの初期化を行うリセット期間と、点灯セルを選択するアドレス期間と、明るさに応じた回数で維持放電パルスを印加するサステイン期間とによって構成されている。
【００１９】
アドレス電極は、アドレス期間にはセルを選択するためのアドレス電圧Ｖａを供給する。Ｘ電極には、サステイン期間には維持放電電圧Ｖｓｘが供給される。Ｙ電極には、リセット期間には正鈍波電圧Ｖｗと負鈍波電圧Ｖｙで構成されるリセットパルスが、アドレス期間にはスキャン用のスキャン電圧Ｖｓｃが、サステイン期間には維持放電電圧Ｖｓｙがそれぞれ供給される。
【００２０】
サステイン期間中の維持放電パルスに対しては、Ｙ電極の維持放電電圧Ｖｓｙに対してさらに補正電圧Ｖｕ１、Ｖｕ２、Ｖｕ３をそれぞれ付加する事を特徴としている。図２の例では、サステイン期間の先頭の維持放電パルスを維持放電電圧Ｖｓｙで立ち上げた直後に付加していることから、サステイン期間への移行時において大きな放電が得られる。
【００２１】
＜実施の形態１＞
図３は、本発明の実施の形態１であるプラズマディスプレイ装置の全体構成の概略を示す図である。本実施の形態のプラズマディスプレイ装置は、電極駆動回路（Ｙ電極駆動回路１０Ｙ、Ｘ電極駆動回路１０Ｘ）、スキャン駆動回路２０、プラズマディスプレイパネル（以下、ＰＤＰと記載する）３０、アドレス回路４０、駆動制御回路５０、画像信号処理回路６０を有する構成となっている。
【００２２】
ＰＤＰ３０は、画像を表示する表示パネルであり、本実施の形態では前述のＡＬＩＳ方式の構成をとる。従って、ｎ本のＹ電極３１Ｙとｎ＋１本のＸ電極３１Ｘとが互いに平行にかつ交互に配置され、これら両電極３１Ｙ、３１Ｘと直交してアドレス電極３２が配されているマトリックス状の電極配列構造を有し、Ｙ電極３１ＹおよびＸ電極３１Ｘと、アドレス電極３２との交点位置に表示セル（図示せず）が形成される。
【００２３】
そして、表示発光は、全ての表示電極（Ｙ電極３１ＹとＸ電極３１Ｘ）の間で行われる。従って、Ｙ電極３１ＹとＸ電極３１Ｘを合わせた合計２ｎ＋１本の表示電極で、２ｎ本の表示ラインが形成される。なお、表示電極であるＹ電極３１ＹとＸ電極３１Ｘとの間では、表示発光の為の維持放電を行うため、Ｙ電極３１Ｙ、Ｘ電極３１Ｘは、維持電極またはサステイン電極とも呼ばれる。
【００２４】
ＡＬＩＳ方式では、全ての表示電極間で維持放電が行われるが、これら全ての表示電極間での維持放電を同時に発生させることはできない。従って、インターレース走査によって、奇数フィールドでは奇数番目の表示ラインでの表示を行い、偶数フィールドでは偶数番目の表示ラインで表示を行うことによって、両表示を合わせて１つの画像表示を行う。
【００２５】
スキャン駆動回路２０は、Ｙ電極３１Ｙに接続されており、スイッチ２１を有している。これにより、アドレス期間にはＹ電極３１Ｙに接続するように切り替えられ、駆動制御回路５０からの制御信号によって、Ｙ電極３１Ｙに順にスキャンパルスを印加してスキャン駆動する。また、サステイン（維持放電）期間には、Ｙ電極３１ＹがＹ電極駆動回路１０Ｙと接続するように切り替えられる。このとき、Ｘ電極３１ＸはＸ電極駆動回路１０Ｘに接続される。
【００２６】
Ｙ電極駆動回路１０Ｙは、Ｙ電極３１Ｙをサステイン駆動（維持放電させるように駆動）するサステイン駆動回路を含んで構成される。サステイン駆動回路は、表示電極に対して維持放電パルスを印加する回路であり、奇数番目のＹ電極３１Ｙを駆動するＹ奇数電極駆動回路（Ｙｏ）１１Ｙと、偶数番目のＹ電極３１Ｙを駆動するＹ偶数電極駆動回路（Ｙｅ）１２Ｙとからなる。そして、サステイン期間には、奇数番目のＹ電極３１Ｙ（以下、Ｙ奇数電極と記載する）はＹ奇数電極駆動回路１１Ｙに接続され、偶数番目のＹ電極３１Ｙ（以下、Ｙ偶数電極と記載する）はＹ偶数電極駆動回路１２Ｙに接続される。
【００２７】
同様に、Ｘ電極駆動回路１０Ｘは、Ｘ電極３１Ｘをサステイン駆動（維持放電させるように駆動）するサステイン駆動回路を含んで構成される。サステイン駆動回路は、奇数番目のＸ電極３１Ｘを駆動するＸ奇数電極駆動回路（Ｘｏ）１１Ｘと、偶数番目のＸ電極３１Ｘを駆動するＸ偶数電極駆動回路（Ｘｅ）１２Ｘとからなる。そして、サステイン期間には、奇数番目のＸ電極３１Ｘ（以下、Ｘ奇数電極と記載する）はＸ奇数電極駆動回路１１Ｘに接続され、偶数番目のＸ電極３１Ｘ（以下、Ｘ偶数電極と記載する）はＸ偶数電極駆動回路１２Ｘに接続される。
【００２８】
画像信号処理回路６０は、入力された画像信号をプラズマディスプレイ装置内部での動作に適した形式の画像データに変換した後、アドレス回路４０に供給する。アドレス回路４０は、アドレス電極３２に接続し、画像信号処理回路６０にて画像信号から変換された画像データに基づいて、アドレス期間に、スキャン駆動回路２０からのスキャンパルスに応じてアドレスパルスを形成して出力する。このアドレスパルスによってアドレス電極３２を駆動し、これによりアドレス放電が生じる。
【００２９】
電極駆動回路（Ｙ電極駆動回路１０Ｙ、Ｘ電極駆動回路１０Ｘ）は、サステイン期間に、Ｙ電極３１ＹおよびＸ電極３１Ｘに維持放電用の駆動電圧の維持放電パルスを印加して駆動し、前述のアドレス放電によりアドレスされた点灯すべき表示セルの輝度に応じた回数の維持放電を生じさせることにより画像を表示するプラズマディスプレイパネルの駆動回路である。
【００３０】
駆動制御回路５０は、アドレス回路４０、スキャン駆動回路２０および電極駆動回路（Ｙ電極駆動回路１０Ｙ、Ｘ電極駆動回路１０Ｘ）を含むプラズマディスプレイ装置の各部を制御するための制御信号を形成して出力する。
【００３１】
上記の構成により、本実施の形態のＡＬＩＳ方式のプラズマディスプレイ装置は、アドレス期間には、スキャン駆動回路２０からのスキャンパルスに応じてアドレス回路４０から画素データに対応したアドレスパルスを出力し、アドレス電極３２に供給する。これにより、ＰＤＰ３０の該当する表示セルにおいてアドレス放電を行う。
【００３２】
また、サステイン期間には、Ｙ奇数電極駆動回路１１Ｙ、Ｙ偶数電極駆動回路１２Ｙ、Ｘ奇数電極駆動回路１１ＸおよびＸ偶数電極駆動回路１２Ｘによって、ＰＤＰ３０上の奇数表示ラインおよび偶数表示ラインをそれぞれ駆動し、ＰＤＰ３０上の、前述したアドレス放電によってアドレスされた表示セルのＹ電極３１ＹとＸ電極３１Ｘとの間で維持放電を行うことによって画像表示を行う。
【００３３】
図１は、本実施の形態におけるＹ電極駆動回路１０ＹとＸ電極駆動回路１０Ｘの構成例を示した図である。ここでは、ＰＤＰ３０がＹ電極駆動回路１０ＹとＸ電極駆動回路１０Ｘとに接続されている状態が図示されている。Ｙ電極駆動回路１０Ｙは、ＰＤＰ３０をＹ電極３１Ｙ側から駆動し、Ｘ電極駆動回路１０Ｘは、ＰＤＰ３０をＸ電極３１Ｘ側から駆動する。
【００３４】
Ｙ電極駆動回路１０Ｙは、Ｙ奇数電極をサステイン駆動するＹ奇数電極駆動回路１１Ｙと、補正電圧を供給するクランプ回路１３Ｙと、電力回収回路１４Ｙとを含んで構成される。ここで、Ｙ電極駆動回路１０Ｙは、Ｙ偶数電極をサステイン駆動するＹ偶数電極駆動回路１２Ｙも有するが、Ｙ奇数電極駆動回路１１Ｙと同様な回路構成と動作であるため説明の便宜上図示せず、以下、Ｙ奇数電極を駆動する構成例について代表して説明する。
【００３５】
また、Ｘ電極駆動回路１０Ｘは、Ｘ奇数電極をサステイン駆動するＸ奇数電極駆動回路１１Ｘと、電力回収回路１４Ｘとを含んで構成される。ここで、Ｘ電極駆動回路１０ＸについてもＹ電極駆動回路１０Ｙと同様に、以下、Ｘ奇数電極を駆動する構成例について代表して説明する。なお、Ｙ電極駆動回路１０ＹとＸ電極駆動回路１０Ｘとにおいて、同じ機能を有する構成要素には同じ符号を付し、Ｙ電極側とＸ電極側とで区別が必要なものについては、その符号にそれぞれ添字ｙ、ｘを付す。
【００３６】
Ｙ奇数電極駆動回路１１Ｙは、例えばＭＯＳＦＥＴやＩＧＢＴで構成されたスイッチ１ｙ、２ｙを含んで構成される。またＸ奇数電極駆動回路１１Ｘも同様に、ＭＯＳＦＥＴやＩＧＢＴで構成されたスイッチ１ｘ、２ｘを含んで構成される。
【００３７】
クランプ回路１３Ｙは、Ｙ電極駆動回路１０Ｙからの出力に対して補正電圧パルスを印加する回路であり、例えばＭＯＳＦＥＴやＩＧＢＴで構成されたスイッチ５ｙと電源回路７ｙとを含んで構成される。電源回路７ｙは、例えばスイッチング電源で構成され、駆動制御回路５０内の駆動信号発生回路５１からスイッチングパルスによる電圧制御信号Ｐｙにて補正電圧が可変できる。クランプ回路１３Ｙの構成については後述する。
【００３８】
電力回収回路１４Ｙは、一方向性のダイオード９ｙと電路をオン・オフするスイッチ４ｙとインダクタンスを形成するコイル１１ｙとを直列接続した構成と、一方向性のダイオード８ｙと電路をオン・オフするスイッチ３ｙとインダクタンスを形成するコイル１０ｙとを直列接続した構成を有する。スイッチ３ｙ、４ｙはそれぞれ、コイル１０ｙ、１１ｙによる充放電経路の切り替えを行い、ダイオード８ｙ、９ｙはそれぞれ、逆方向電流が流れるのを阻止する。
【００３９】
電力回収回路１４Ｙ内において、コイル１０ｙ、１１ｙに接続されたスイッチ３ｙ、４ｙは、サステイン駆動の前後の期間において、ＰＤＰ３０の表示パネル容量ＣＰに対し、それぞれ交互にオン・オフすることにより充放電経路を切り替える。これにより、表示パネル容量ＣＰに対し充放電が行われる。電力回収回路１４Ｙにおける電力回収原理は、例えば特許文献１や特許文献４に記載されているものと同じである。
【００４０】
アドレス電極駆動回路４０Ａは、アドレス回路４０内にあり、スイッチ４１およびアドレスパルス生成回路４２を有する。図２に示されるアドレス期間においてのみ、アドレス選択の動作を行う際にスイッチ４１がオンし、アドレスパルス生成回路４２は、アドレス電極３２にアドレスパルスを供給する。アドレスパルスの供給毎に、アドレス電極３２とＹ電極間３１Ｙとの間の容量Ｃｙａに対してアドレス放電が起こり、それを種火として、図２で示されるサステイン期間においてＹ電極３１ＹとＸ電極３１Ｘとの間で維持放電が起きる。アドレス期間以外のリセット期間およびサステイン期間では、スイッチ４１はオフしている。
【００４１】
なお、これらのスイッチ（スイッチ１ｙ〜５ｙ、スイッチ１ｘ〜４ｘ、スイッチ４１）は、駆動制御回路５０によって切り替えが行われる。スイッチ切り替えのための制御信号は、駆動信号発生回路５１より発生する。
【００４２】
図４は、図１における表示電極（Ｙ電極３１Ｙ、Ｘ電極３１Ｘ）の駆動波形と各スイッチの動作タイミングの例を示す図である。図４において、（ａ）は、Ｙ電極３１Ｙの駆動電圧出力波形を、（ｂ）は、Ｘ電極３１Ｘの駆動電圧出力波形を、（ｃ）は、Ｙ電極駆動回路１０Ｙ内の各スイッチの動作タイミングを、（ｄ）は、Ｘ電極駆動回路１０Ｘ内の各スイッチの動作タイミングを示している。なお、説明の便宜上、Ｙ電極３１Ｙについては奇数ラインを形成するＹ奇数電極の駆動波形を、Ｘ電極３１Ｘについては奇数ラインを形成するＸ奇数電極の駆動波形を代表して示す。
【００４３】
以下、図１、図４を用いて、Ｙ電極３１Ｙ、Ｘ電極３１Ｘが、図４（ａ）および（ｂ）の波形で駆動される場合の動作を、Ｙ電極駆動回路１０Ｙ内のスイッチ１ｙ〜５ｙの動作タイミングおよびＸ電極駆動回路１０Ｘ内のスイッチ１ｘ〜４ｘの動作タイミングを基に各期間毎に説明する。
【００４４】
ｔ１〜ｔ２期間：
サステイン期間のうちの先頭パルスを用いて説明する。この期間は、Ｙ電極側はサステイン期間の中で立ち上げ期間であり、Ｙ電極３１Ｙに電力回収回路１４Ｙのスイッチ３ｙからコイル１０ｙを介して電力を供給する。この時、Ｙ電極駆動回路１０Ｙではスイッチ３ｙ以外は全てオフである。一方、Ｘ電極側は立ち下げ期間であり、電力回収回路１４Ｘのスイッチ４ｘをオンさせ、表示パネルの電荷をダイオード９ｘからコイル１１ｘ方向へ回収あるいは充電を行う。
【００４５】
ｔ２〜ｔ３期間：
この期間では、Ｙ電極３１Ｙに電圧Ｖｓｙ１を与える。そのため、Ｙ電極側では、Ｙ奇数電極駆動回路１１Ｙのスイッチ２ｙがオンし、電圧Ｖｓｙ１を供給する。電力回収回路１４Ｙのスイッチ３ｙ、４ｙはオフである。一方、Ｘ電極側では、Ｘ奇数電極駆動回路１１Ｘのスイッチ１ｘを介して電圧Ｖｓｘ２に接続してＸ電極３１Ｘに電力を供給する。この時、Ｘ電極駆動回路１０Ｘではスイッチ１ｘ以外は全てオフである。
【００４６】
ｔ３〜ｔ４期間：
この期間は、Ｙ電極側の補正電圧の立ち上げ期間である。そのため、Ｙ電極側では、Ｙ奇数電極駆動回路１１Ｙのスイッチ２ｙはオンの状態のままとし、クランプ回路１３Ｙのスイッチ５ｙをＴａの時間幅でオンさせ、ｔ４のタイミングまで、駆動信号発生回路５１からの電圧制御信号Ｐｙに応じて電圧Ｖｕｙ１を電源回路から供給する。一方、Ｘ電極側では、ｔ２〜ｔ３期間と同様にＶｓｘ２がＸ電極３１Ｘに印加されている。
【００４７】
ｔ４〜ｔ５期間：
この期間は、Ｙ電極側ではクランプ回路１３Ｙのスイッチ５ｙをオフし、同時にスイッチ２ｙをオフし、出力をハイインピーダンスの状態にする。また、この期間において電力回収回路１４Ｙのスイッチ４ｙをオンさせ、表示パネルの電荷をダイオード９ｙからコイル１１ｙ方向へ回収あるいは充電を行う。
【００４８】
ｔ５〜ｔ６期間：
この期間は、Ｙ電極側は立ち下げ期間であり、電力回収回路１４Ｙのスイッチ４ｙをオフにする。一方、Ｘ電極側は立ち上げ期間であり、Ｘ奇数電極駆動回路１１Ｘのスイッチ１ｘがオフし、電力回収回路１４Ｘのスイッチ３ｘがオンし、電力回収回路１４ＸがＸ電極３１Ｘに接続される。これにより、Ｘ電極３１Ｘに電力回収回路１４Ｘから電力が供給される。
【００４９】
ｔ６〜ｔ７期間：
この期間は、Ｙ電極側はＹ奇数電極駆動回路１１Ｙのスイッチ１ｙがオンし、電圧Ｖｓｙ２がＹ電極３１Ｙに印加される。また、Ｘ電極側はＸ奇数電極駆動回路１１Ｘのスイッチ２ｘがオンし、電圧Ｖｓｘ１が印加される。その後、上記と同様な動作を繰り返し、維持放電パルスを各電極に供給する。
【００５０】
このように、本実施の形態のプラズマディスプレイ装置では、図４（ａ）に示すように、第１の維持放電パルスについて、時間幅Ｔａの間、補正電圧Ｖｕｙ１を維持放電電圧Ｖｓｙに対して付加し、第２の維持放電パルスについて、時間幅Ｔｂの間、補正電圧Ｖｕｙ２を維持放電電圧Ｖｓｙに対して付加し、第３の維持放電パルスについて、時間幅Ｔｃの間、補正電圧Ｖｕｙ３を維持放電電圧Ｖｓｙに対して付加することを特徴としている。
【００５１】
図５は、図４（ａ）における維持放電パルス１パルスあたりのＹ電極駆動回路１０Ｙの出力に対する放電電流の波形の例を示す図である。電圧Ｖｓｙの波形の立ち上がりから補正電圧Ｖｕｙ１を印加するまでの時間をｔ１−ｔ３、補正電圧Ｖｕｙ１を印加している時間をＴａとする。補正電圧Ｖｕｙ１を印加した後、セル内で放電が発生すると、放電電流（発光電流）が流れ、電力が消費される。この放電電流が流れる前の段階で補正電圧Ｖｕｙ１を遮断することで、立ち上りに充電した容量で放電が行われ、放電が終息する前に印加電圧をハイインピーダンス状態とする事で省電力化が可能となる。
【００５２】
これにより、放電の終了状態を常に安定にさせ、次の放電を確保するための壁電荷を維持でき、あるいは壁電荷が最適になるようにコントロールされる。このように、本実施の形態のプラズマディスプレイ装置における駆動波形によれば、駆動マージンや電力を損なうことなく安定した発光が維持できる。また放電にて残った余分な壁電荷は、次の維持放電パルスの印加に対して、そのまま維持あるいは電力回収動作を行うことが可能である。従って、図４（ａ）に示すように、補正電圧は維持放電パルスの周期毎に段階的に小さくすることができる。
【００５３】
図６は、補正電圧と放電を維持する最低限の電圧（放電維持電圧）との関係の例を示す図である。図６（ａ）では、補正電圧を大きくすれば、放電維持電圧Ｖｓｍｉｎが小さくなるが、ある程度補正電圧を大きくすると、放電維持電圧は飽和することを表している。また、図６（ｂ）では、補正電圧を印加する時間幅によっても放電維持電圧は変動することを表している。また、図６（ｃ）では、放電維持電圧を小さくすることができると、発光効率が向上することを表している。このように、補正電圧と補正電圧を印加する時間幅は発光効率に影響するため、これらを最適な値にコントロールすることで、維持放電電圧を下げ、消費電力を抑えた効率的な発光を行うことが可能となる。
【００５４】
次に、補正電圧と補正電圧を印加する時間幅の制御手段について説明する。可変の補正電圧は、例えばＹ電極駆動回路１０Ｙのクランプ回路１３Ｙの内部で生成することができる。図７は、クランプ回路１３Ｙの内部で補正電圧を生成する場合のクランプ回路１３Ｙの構成例を示す図である。図７では、トランスを用いて構成した例を示しており、電圧制御パルスＰｙ（Ｐｙｎ、Ｐｘ、Ｐｘｎ）は全てマイコンによる制御によりパルス変調を行い、出力電圧を可変にする。図７の構成例ではフィードバック経路を有していないが、出力電圧を同じマイコンのＡ／Ｄ変換入力端子にフィードバックすることで微調整が可能である。
【００５５】
図７の構成例は、トランスを用いた低コストで簡易的な構成であるが、図８に示すように、ＤＣ／ＤＣコンバータのＩＣを用いた構成とすることも可能である。図８の構成例では、マイコンのＤ／Ａ変換出力端子より所定の電圧を出力させ、ＤＣ／ＤＣコンバータのスイッチング周波数を切り替える等により、設定に応じた電圧を発生させることができる。なお、図７、図８の構成例では、マイコンによる制御を行う構成としているが、図１の駆動信号発生回路５１の中で、あらかじめ所定のパルス数やスイッチの動作等を記憶させておくことによりこれらの制御を行うことも可能である。
【００５６】
また、補正電圧を印加する時間幅については、その他のパルスと同様に、例えば駆動信号発生回路５１の中で、基準クロックよりカウンタ回路にて所定のパルス数をカウントし、出力することによって制御することが可能である。また、マイコンによる制御によっても任意の幅に制御することが可能である。
【００５７】
以上に述べたように、本実施の形態のプラズマディスプレイ装置によれば、サステイン期間中における任意の位置の維持放電パルスに対して、Ｙ電極とＸ電極間の電位差が維持放電が十分に起こるように、また継続した壁電荷が保持できるように補正電圧パルスを印加することで、アドレス放電の電荷不足を補い、安定した駆動が得られる。また、電源回路からの電力損失を低減する効果が得られることにより、維持放電電圧を下げることができ、発光効率を高めることができる。
【００５８】
また、補正電圧パルスと表示に関わる維持放電電流とが最適化されるように、補正電圧パルスの印加電圧および印加時間を制御することで、従来技術のように常に電源から維持放電電流を供給する場合と比べて電力損失が少なく、確実な壁電荷形成と放電駆動マージンを得ることができる。また、最近の高Ｘｅ化の大型パネルなどにおける省電力化も実現することができる。
【００５９】
＜実施の形態２＞
前述の実施の形態１のプラズマディスプレイ装置では、Ｙ電極駆動回路１０Ｙにおいてのみ補正電圧パルスによる駆動を行う構成であったが、本発明の実施の形態２のプラズマディスプレイ装置では、Ｘ電極駆動回路１０Ｘにおいても補正電圧パルスによる駆動を行うことを特徴とする。本実施の形態のプラズマディスプレイ装置の全体構成は、実施の形態１の図３と同様であるため、説明は省略する。
【００６０】
図９は、本実施の形態におけるＹ電極駆動回路１０ＹとＸ電極駆動回路１０Ｘの構成例を示した図である。以下では、本実施の形態のプラズマディスプレイ装置と、実施の形態１のプラズマディスプレイ装置との相違点について説明する。図９において、実施の形態１の図１の構成との相違点は、Ｘ電極駆動回路１０ＸにもＹ電極駆動回路１０Ｙと同様にクランプ回路１３Ｘを有している点である。
【００６１】
クランプ回路１３Ｘは、Ｘ電極駆動回路１０Ｘからの出力に対して補正電圧パルスを印加する回路であり、クランプ回路１３Ｙと同様に、例えばＭＯＳＦＥＴやＩＧＢＴで構成されたスイッチ５ｘと電源回路７ｘとを含んで構成される。電源回路７ｘは、例えばスイッチング電源で構成され、駆動制御回路５０内の駆動信号発生回路５１からスイッチングパルスによる電圧制御信号Ｐｘにて補正電圧が可変できる。具体的な構成の例は、実施の形態１の図７、図８で説明したものと同様である。
【００６２】
図１０は、図９における表示電極（Ｙ電極３１Ｙ、Ｘ電極３１Ｘ）の駆動波形と各スイッチの動作タイミングの例を示す図である。実施の形態１の図４と同様に、図１０において、（ａ）は、Ｙ電極３１Ｙの駆動電圧出力波形を、（ｂ）は、Ｘ電極３１Ｘの駆動電圧出力波形を、（ｃ）は、Ｙ電極駆動回路１０Ｙ内の各スイッチの動作タイミングを、（ｄ）は、Ｘ電極駆動回路１０Ｘ内の各スイッチの動作タイミングを示している。
【００６３】
図１０（ａ）のＹ電極３１Ｙの駆動電圧出力波形および図１０（ｃ）のＹ電極駆動回路１０Ｙ内の各スイッチの動作タイミングについては、実施の形態１の図４（ａ）および（ｃ）と同様であるため説明を省略する。
【００６４】
図１０（ｄ）のｔ７〜ｔ８の期間において、図１０（ｃ）のｔ３〜ｔ４期間におけるＹ電極駆動回路１０Ｙでの動作と同様に、クランプ回路１３Ｘのスイッチ５ｘをＴｄの時間幅でオンさせることにより、図１０（ｂ）のように、電圧Ｖｓｘに対してさらに電圧Ｖｕｘ１を付加する。また、同様に、ｔ１５〜ｔ１６の期間において、スイッチ５ｘをＴｅの時間幅でオンさせることにより、電圧Ｖｓｘに対してさらに電圧Ｖｕｘ２を付加する。
【００６５】
以上に述べたように、本実施の形態のプラズマディスプレイ装置によれば、実施の形態１と同様に、Ｘ電極駆動回路１０Ｘにおいても維持放電パルスに補正電圧を付加することで、放電のさらなる安定化と高効率化を図ることができる。
【００６６】
＜実施の形態３＞
前述の実施の形態１および実施の形態２のプラズマディスプレイ装置では、Ｙ電極駆動回路１０ＹおよびＸ電極駆動回路１０Ｘにおいて、維持放電パルスのＶｓｙおよびＶｓｘに対して正電圧方向に補正電圧を付加して駆動を行う構成であったが、本発明の実施の形態３のプラズマディスプレイ装置では、維持放電パルスのＶｓｙおよびＶｓｘに対して負電圧方向に補正電圧を付加して駆動を行うことを特徴とする。本実施の形態のプラズマディスプレイ装置の全体構成は、実施の形態１の図３と同様であるため、説明は省略する。
【００６７】
図１１は、本実施の形態におけるＹ電極駆動回路１０ＹとＸ電極駆動回路１０Ｘの構成例を示した図である。以下では、本実施の形態のプラズマディスプレイ装置と、実施の形態２のプラズマディスプレイ装置との相違点について説明する。図１１において、実施の形態２の図９の構成との相違点は、Ｙ電極駆動回路１０Ｙにおいて、Ｙ奇数電極駆動回路１１ＹのＶｓｙ２側にも、クランプ回路１３Ｙと同様のクランプ回路１５Ｙを有し、また、Ｘ電極駆動回路１０Ｘにおいて、Ｘ奇数電極駆動回路１１ＸのＶｓｘ２側にも、クランプ回路１３Ｘと同様のクランプ回路１５Ｘを有している点である。
【００６８】
クランプ回路１５Ｙは、Ｙ電極駆動回路１０Ｙからの出力に対して補正電圧パルスを印加する回路であり、クランプ回路１３Ｙと同様に、例えばＭＯＳＦＥＴやＩＧＢＴで構成されたスイッチ６ｙと電源回路１２ｙとを含んで構成される。電源回路１２ｙは、例えばスイッチング電源で構成され、駆動制御回路５０内の駆動信号発生回路５１からスイッチングパルスによる電圧制御信号Ｐｙｎにて補正電圧が可変できる。具体的な構成の例は、実施の形態１の図７、図８で説明したものと同様である。
【００６９】
また、クランプ回路１５Ｘは、Ｘ電極駆動回路１０Ｘからの出力に対して補正電圧パルスを印加する回路であり、クランプ回路１３Ｘと同様に、例えばＭＯＳＦＥＴやＩＧＢＴで構成されたスイッチ６ｘと電源回路１２ｘとを含んで構成される。電源回路１２ｘは、例えばスイッチング電源で構成され、駆動制御回路５０内の駆動信号発生回路５１からスイッチングパルスによる電圧制御信号Ｐｘｎにて補正電圧が可変できる。具体的な構成の例は、実施の形態１の図７、図８で説明したものと同様である。
【００７０】
図１２は、図１１における表示電極（Ｙ電極３１Ｙ、Ｘ電極３１Ｘ）の駆動波形と各スイッチの動作タイミングの例を示す図である。実施の形態１の図４と同様に、図１２において、（ａ）は、Ｙ電極３１Ｙの駆動電圧出力波形を、（ｂ）は、Ｘ電極３１Ｘの駆動電圧出力波形を、（ｃ）は、Ｙ電極駆動回路１０Ｙ内の各スイッチの動作タイミングを、（ｄ）は、Ｘ電極駆動回路１０Ｘ内の各スイッチの動作タイミングを示している。
【００７１】
実施の形態１と同様に、図１２（ｃ）のｔ３〜ｔ４の期間において、Ｙ電極駆動回路１０Ｙでは、クランプ回路１３Ｙのスイッチ５ｙをＴａ１の時間幅でオンさせることにより、図１２（ａ）のように、電圧Ｖｓｙに対して正電圧方向に電圧Ｖｕｙ１を付加する。また、このとき、Ｘ電極駆動回路１０Ｘでは、図１２（ｄ）のようにクランプ回路１５Ｘのスイッチ６ｘをＴａ１の時間幅でオンさせることにより、図１２（ｂ）のように、電圧Ｖｓｘに対して負電圧方向に電圧Ｖｕｘ１を付加する。
【００７２】
同様に、ｔ７〜ｔ８の期間において、クランプ回路１５Ｙのスイッチ６ｙをＴａ２の時間幅でオンさせることにより、電圧Ｖｓｙに対して負電圧方向に電圧Ｖｕｙ２を付加する。また、このとき、クランプ回路１３Ｘのスイッチ５ｘをＴａ２の時間幅でオンさせることにより、電圧Ｖｓｘに対して正電圧方向に電圧Ｖｕｘ２を付加する。
【００７３】
また、同様に、ｔ１１〜ｔ１２の期間において、クランプ回路１３Ｙのスイッチ５ｙをＴｂ１の時間幅でオンさせることにより、電圧Ｖｓｙに対して正電圧方向に電圧Ｖｕｙ３を付加する。また、このとき、クランプ回路１５Ｘのスイッチ６ｘをＴｂ１の時間幅でオンさせることにより、電圧Ｖｓｘに対して負電圧方向に電圧Ｖｕｘ３を付加する。
【００７４】
また、同様に、ｔ１５〜ｔ１６の期間において、クランプ回路１５Ｙのスイッチ６ｙをＴｂ２の時間幅でオンさせることにより、電圧Ｖｓｙに対して負電圧方向に電圧Ｖｕｙ４を付加する。また、このとき、クランプ回路１３Ｘのスイッチ５ｘをＴｂ２の時間幅でオンさせることにより、電圧Ｖｓｘに対して正電圧方向に電圧Ｖｕｘ４を付加する。
【００７５】
また、同様に、ｔ１９〜ｔ２０の期間において、クランプ回路１３Ｙのスイッチ５ｙをＴｃ１の時間幅でオンさせることにより、電圧Ｖｓｙに対して正電圧方向に電圧Ｖｕｙ５を付加する。また、このとき、クランプ回路１５Ｘのスイッチ６ｘをＴｃ１の時間幅でオンさせることにより、電圧Ｖｓｘに対して負電圧方向に電圧Ｖｕｘ５を付加する。
【００７６】
以上に述べたように、本実施の形態のプラズマディスプレイ装置によれば、Ｙ電極３１ＹとＸ電極３１Ｘとの間の電位差を効率的に大きくすることができ、維持放電電圧を下げ、放電のさらなる安定化と高効率化を図ることができる。
【００７７】
なお、本実施の形態では、パネルベース電位をＧＮＤレベルとして、維持放電パルスのＶｓｙおよびＶｓｘを正方向電圧とした構成としているが、ＶｓｙおよびＶｓｘが負方向電圧の構成であっても同様である。すなわち、維持放電パルスの印加方向に重畳的に補正電圧パルスを付加する替わりに、維持放電パルスが印加される表示電極とは反対の表示電極において、維持放電パルスの印加方向とは逆方向に補正電圧パルスを付加することにより、Ｙ電極３１ＹとＸ電極３１Ｘとの間の電位差を大きくすることができる。
【００７８】
＜実施の形態４＞
前述の実施の形態１〜３のプラズマディスプレイ装置では、Ｙ電極駆動回路１０ＹおよびＸ電極駆動回路１０Ｘの双方において、それぞれＹ電極３１ＹおよびＸ電極３１Ｘに維持放電パルスを印加してサステイン駆動を行う構成であったが、本発明の実施の形態４のプラズマディスプレイ装置では、片側駆動の構成としてＹ電極駆動回路１０Ｙにおいてのみサステイン駆動を行い、Ｘ電極駆動回路１０Ｘでは補正電圧パルスの印加のみ行う構成であることを特徴とする。
【００７９】
図１３は、本実施の形態におけるＹ電極駆動回路１０ＹとＸ電極駆動回路１０Ｘの構成例を示した図である。以下では、本実施の形態のプラズマディスプレイ装置と、実施の形態３のプラズマディスプレイ装置との相違点について説明する。図１３において、実施の形態３の図１１の構成との相違点は、Ｘ電極駆動回路１０Ｘは、Ｘ電極３１Ｘをサステイン駆動するＸ奇数電極駆動回路１１Ｘ（およびＸ偶数電極駆動回路１２Ｘ）と、電力回収回路１４Ｘを有さず、クランプ回路１３Ｘ、１５Ｘのみを有する構成となっている点である。
【００８０】
図１４は、図１３における表示電極（Ｙ電極３１Ｙ、Ｘ電極３１Ｘ）の駆動波形と各スイッチの動作タイミングの例を示す図である。実施の形態１の図４と同様に、図１４において、（ａ）は、Ｙ電極３１Ｙの駆動電圧出力波形を、（ｂ）は、Ｘ電極３１Ｘの駆動電圧出力波形を、（ｃ）は、Ｙ電極駆動回路１０Ｙ内の各スイッチの動作タイミングを、（ｄ）は、Ｘ電極駆動回路１０Ｘ内の各スイッチの動作タイミングを示している。
【００８１】
図１４（ａ）のＹ電極３１Ｙの駆動電圧出力波形および図１４（ｃ）のＹ電極駆動回路１０Ｙ内の各スイッチの動作タイミングについては、実施の形態３の図１２（ａ）および図１２（ｃ）と同様であるため説明を省略する。
【００８２】
Ｘ電極駆動回路１０Ｘの動作については、サステイン駆動を行わないことから、補正電圧パルスの印加のみとなる。ｔ３〜ｔ４の期間において負電圧方向に電圧Ｖｕｘ１を付加し、ｔ７〜ｔ８の期間において正電圧方向にＶｕｘ２を付加し、ｔ１１〜ｔ１２の期間において負電圧方向にＶｕｘ３を付加し、ｔ１５〜ｔ１６の期間において正電圧方向にＶｕｘ４を付加し、ｔ１９〜ｔ２０の期間において負電圧方向にＶｕｘ５を付加している。
【００８３】
以上に述べたように、本実施の形態のプラズマディスプレイ装置によれば、Ｙ電極駆動回路１０Ｙのみの片側駆動の構成においても、サステイン駆動を行わないＸ電極３１Ｘに対して補正電圧パルスを印加することによって、Ｙ電極３１ＹとＸ電極３１Ｘとの間の電位差を効率的に大きくすることができ、維持放電電圧を下げ、放電のさらなる安定化と高効率化を図ることができる。
【００８４】
なお、本実施の形態においては、Ｙ電極駆動回路１０Ｙ側にクランプ回路１３Ｙ、１５Ｙを有し、Ｙ電極駆動回路１０Ｙ側でも補正電圧パルスを印加する構成をとっているが、補正電圧パルスの印加をＸ電極駆動回路１０Ｘ側のみで行い、Ｙ電極駆動回路１０Ｙにはクランプ回路１３Ｙ、１５Ｙを有しない構成とすることも可能である。また、Ｘ電極駆動回路１０Ｘにおいては、クランプ回路１３Ｘと１５Ｘの２つを有する構成としているが、どちらか一方のみの構成とし、正電圧方向もしくは負電圧方向のみの補正とすることも当然可能である。
【００８５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８６】
例えば、前述の実施の形態１〜４のプラズマディスプレイ装置は、クランプ回路１３Ｙ、１５Ｙおよび１３Ｘ、１５Ｘを、Ｙ電極駆動回路１０ＹおよびＸ電極駆動回路１０Ｘで用いる技術であり、維持放電パルスに対して、Ｙ電極３１ＹとＸ電極３１Ｘとの間の電位差が維持放電電圧よりも大きくなるように補正電圧を印加することができればよく、これが実現される限り、その配置構成は特に限定されず、片側駆動の構成の場合も含めて、種々のパターンで構成することが可能である。
【００８７】
また、実際の適用にあたっては、実施の形態１〜４のようにパネルベース電位をＧＮＤレベルとしてサステイン駆動の電圧をＶｓｙ１およびＶｓｙ２（Ｖｓｘ１およびＶｓｘ２）とする構成に限らず、例えば、＋Ｖｓ、−Ｖｓの２種類の電源で駆動する電極駆動回路にも同様に適用できる。また、実施の形態１〜４のようにＡＬＩＳ方式をとるプラズマディスプレイ装置に限らず、ＡＬＩＳ方式をとらないプラズマディスプレイ装置についても当然適用可能である。
【００８８】
また、上述したような補正電圧パルスによる補正は、サステイン期間以外のその他の期間に適用することも可能であり、例えば、アドレス期間などの放電に係る電荷確保にも適用可能なことはいうまでもない。
【産業上の利用可能性】
【００８９】
本発明は、ＰＤＰ（Plasma Display Panel：プラズマディスプレイパネル）の駆動回路および駆動方法に利用可能である。
【図面の簡単な説明】
【００９０】
【図１】本発明の実施の形態１であるプラズマディスプレイ装置における、Ｙ電極駆動回路とＸ電極駆動回路の構成例を示した図である。
【図２】本発明の実施の形態１における、駆動波形および放電電流（発光電流）の概要を示す図である。
【図３】本発明の実施の形態１であるプラズマディスプレイ装置の全体構成の概略を示す図である。
【図４】（ａ）〜（ｄ）は、本発明の実施の形態１における、表示電極の駆動波形と各スイッチの動作タイミングの例を示す図である。
【図５】本発明の実施の形態１における、Ｙ電極駆動回路の出力に対する放電電流の波形の例を示す図である。
【図６】（ａ）〜（ｃ）は、本発明の実施の形態１における、補正電圧と放電を維持する最低限の電圧（放電維持電圧）との関係の例を示す図である。
【図７】本発明の実施の形態１における、クランプ回路の内部で補正電圧を生成する場合のクランプ回路の構成例を示す図である。
【図８】本発明の実施の形態１における、クランプ回路の内部で補正電圧を生成する場合のクランプ回路の構成例を示す図である。
【図９】本発明の実施の形態２における、Ｙ電極駆動回路とＸ電極駆動回路の構成例を示した図である。
【図１０】（ａ）〜（ｄ）は、本発明の実施の形態２における、表示電極の駆動波形と各スイッチの動作タイミングの例を示す図である。
【図１１】本発明の実施の形態３における、Ｙ電極駆動回路とＸ電極駆動回路の構成例を示した図である。
【図１２】（ａ）〜（ｄ）は、本発明の実施の形態３における、表示電極の駆動波形と各スイッチの動作タイミングの例を示す図である。
【図１３】本発明の実施の形態４における、Ｙ電極駆動回路とＸ電極駆動回路の構成例を示した図である。
【図１４】（ａ）〜（ｄ）は、本発明の実施の形態４における、表示電極の駆動波形と各スイッチの動作タイミングの例を示す図である。
【図１５】従来のプラズマディスプレイ装置における、駆動波形および放電電流（発光電流）の概要を示す図である。
【図１６】従来のプラズマディスプレイ装置における、維持放電パルスの例を示す図である。
【図１７】プラズマディスプレイ装置における放電駆動マージンの概要を示す図である。
【符号の説明】
【００９１】
１０Ｙ…Ｙ電極駆動回路、１０Ｘ…Ｘ電極駆動回路、１１Ｙ…Ｙ奇数電極駆動回路（Ｙｏ）、１１Ｘ…Ｘ奇数電極駆動回路（Ｘｏ）、１２Ｙ…Ｙ偶数電極駆動回路（Ｙｅ）、１２Ｘ…Ｘ偶数電極駆動回路（Ｘｅ）、２０…スキャン駆動回路、２１…スイッチ、３０…プラズマディスプレイパネル（ＰＤＰ）、３１Ｙ…Ｙ電極、３１Ｘ…Ｘ電極、３２…アドレス電極、４０…アドレス回路、５０…駆動制御回路、６０…画像信号処理回路、
１３Ｙ…クランプ回路、１３Ｘ…クランプ回路、１４Ｙ…電力回収回路、１４Ｘ…電力回収回路、１５Ｙ…クランプ回路、１５Ｘ…クランプ回路、４０Ａ…アドレス電極駆動回路、４１…スイッチ、４２…アドレスパルス生成回路、
１ｙ…スイッチ、２ｙ…スイッチ、３ｙ…スイッチ、４ｙ…スイッチ、５ｙ…スイッチ、６ｙ…スイッチ、７ｙ…電源回路、８ｙ…ダイオード、９ｙ…ダイオード、１０ｙ…コイル、１１ｙ…コイル、１２ｙ…電源回路、
１ｘ…スイッチ、２ｘ…スイッチ、３ｘ…スイッチ、４ｘ…スイッチ、５ｘ…スイッチ、６ｘ…スイッチ、７ｘ…電源回路、８ｘ…ダイオード、９ｘ…ダイオード、１０ｘ…コイル、１１ｘ…コイル、１２ｘ…電源回路。
【図１】
2009186700.tif 000003
【図２】
2009186700.tif 000004
【図３】
2009186700.tif 000005
【図４】
2009186700.tif 000006
【図５】
2009186700.tif 000007
【図６】
2009186700.tif 000008
【図７】
2009186700.tif 000009
【図８】
2009186700.tif 000010
【図９】
2009186700.tif 000011
【図１０】
2009186700.tif 000012
【図１１】
2009186700.tif 000013
【図１２】
2009186700.tif 000014
【図１３】
2009186700.tif 000015
【図１４】
2009186700.tif 000016
【図１５】
2009186700.tif 000017
【図１６】
2009186700.tif 000018
【図１７】
2009186700.tif 000019